Podtech/llm-jp-corpus-v4-ja_patent huggingface dataset:
(57)【要約】      （修正有）【課題】材料費の削減と組立工程の単純化を目的とした、上、下２枚のカバープレートを一体化してカバープレートとしたロールペーパーホルダーを提供する。【解決手段】四角形圧縮スプリング１を、上、下２枚のカバープレートの隙間で、上カバープレートの下面後方部の突起部３ａ，３ｂと下カバープレートの上面前方部の突起部７ａ，７ｂとで挟み込む単純作業とし、上カバープレートがペーパーカットするため前進移動すると、上カバープレートの突起部３ａ，３ｂで四角形圧縮スプリングが更に圧縮され反発力が増強し、そのエネルギーで、上カバープレートがペーパーカット後、元の位置に自動復元する。【選択図】図４
0003210590.tif 000002
【実用新案登録請求の範囲】
【請求項１】
ロールペーパーの筒芯を両側から保持し、カバープレートを枢支する側板を有するロールペーパーホルダーで、前方部を弾性を有する薄板とした基板で側板に枢支された下カバープレートと、下カバープレートの上側で、前方にスライド可能な基板で、その先端部をペーパーカッターとする上カバープレートの先端の刃先と下カバープレートの先端部の薄板の先端とが接する形で、両カバープレートを、上、下に組み合わせて、一体として、カバープレートとしたペーパーホルダーにおいて、上カバープレートの後方部の下面に、四角形圧縮スプリングの上辺部を受け止める突起部を設け、下カバープレートの基板の前方部の上面に、四角形圧縮スプリングの下辺部を受け止める突起部を設け、上、下のカバープレートの隙間で、上、下のカバープレートの突起物により、軽く圧縮した状態の四角形圧縮スプリングを挟み込む形で、上、下のカバープレートを一体に組み合わせて、カバープレートを形成するロールペーパーホルダー。
【考案の詳細な説明】
【技術分野】
【０００１】  本考案は、トイレットペーパーホルダーの操作手順の一部である、ロールペーパーの前回の切断縁を見出し、摘み出す動作を簡略化するため、カバープレートを、上、下２枚で構成したトイレットペーパーホルダーの改善に関するものである。
【背景技術】
【０００２】  現在、上、下２枚のカバープレートで構成されているトイレットペーパーホルダーは、上下カバープレートの隙間に存在する複数の牽引部材のスプリングを、上カバープレートの前方部下面に設けた突起部と下カバープレートの基板の後方部上面に設けた突起部とで、連結させており、前進移動してペーパーカットした上カバープレートを牽引力により、元の位置に移動させている。（例えば、特許文献１、実用新案文献２、参照。）
【先行技術文献】
【特許文献】
【０００３】
【特許文献１】公開特許公報  特開２０１５−２７５７４
【実用新案文献２】
実用新案  登録３２０４３９８
【考案の概要】
【考案が解決しようとする課題】
【０００４】  ペーパーカット後の上カバープレートが、下カバープレートの上側で円滑に復元移動するため、下カバープレートと上カバープレートとを２本の牽引部材のスプリングで連結し、その端末を、それぞれ上、下のカバープレートに２個所ずつ、計４個所、固着させる必要があり、その作業工程を解消する必要がある。
【課題を解決するための手段】
【０００５】  本考案は、上記目的を達成するために、ロールペーパーの筒芯を両側から保持し、カバープレートを枢支する側板を有するロールペーパーホルダーで、前方部を弾性を有する薄板とした基板で側板に枢支された下カバープレートと、下カバープレートの上側で、前方にスライド可能な基板で、その先端部をペーパーカッターとする上カバープレートの先端の刃先と下カバープレートの先端部の薄板の先端とが接する形で、両カバープレートを、上、下に組み合わせて、一体として、カバープレートとしたペーパーホルダーにおいて、上カバープレートの後方部の下面に、四角形圧縮スプリングの上辺部を受け止める突起部を設け、下カバープレートの基板の前方部の上面に、四角形圧縮スプリングの下辺部を受け止める突起部を設け、上、下のカバープレートの隙間で、上、下のカバープレートの突起物により、軽く圧縮した状態の四角形圧縮スプリングを挟み込む形で、上、下のカバープレートを一体に組み合わせて、カバープレートを形成するものである。
【考案の効果】
【０００６】  上述の様に、本考案の四角形圧縮スプリングの使用により、従来の牽引スプリングの端末４個所を固着する作業がなくなり、四角形圧縮スプリングを上カバープレートの下面の突起部と、下カバープレートの上面の突起部とで挿み込む作業で、上カバープレートの自動復元動作が可能となり、従って材料費の削減と組立工程の単純化に効果がある。
【図面の簡単な説明】
【０００７】
【図１】  本考案の四角形圧縮スプリング
【図２】  本考案の上カバープレートの斜視図。
【図３】  本考案の下カバープレートの斜視図。
【図４】  本考案の四角形圧縮スプリングを上、下のカバープレートの突起部で挟み込む形で一体化した一部欠損したカバープレートの斜視図。
【図５】  本考案の四角形圧縮スプリングを挟み込んだトイレットペーパーホルダーの一部欠損した側面図。
【図６】  本考案の四角形圧縮スプリングが、上カバープレートにて、強く圧縮された状態を示すトイレットペーパーホルダーの一部欠損した側面図。
【考案を実施するための形態】
【０００８】  上カバープレートの後方部下面に、四角形圧縮スプリングの上辺部を受け止める突起部を設け、下カバープレートの基板中央部の上面の前方部に四角形圧縮スプリングの下辺部を受け止める突起部を設け、その両方の突起部により、四角形圧縮スプリングを少し圧縮状態になる形で挟み込み、上、下２枚のカバープレートを組み合わせて一体化したカバープレートを形成する。
【実施例】
【０００９】  以下、添付図面に従って、一実施例を説明する。図１に示す、本考案の四角形圧縮スプリング１を、図２の上カバープレート２の後方部下面に設けた突起部３ａ，３ｂに、四角形圧縮スプリング１の上辺部４ａ，４ｂを差し込み、次に、図３の下カバープレート６の基板中央部の上面の前方部に設けた突起部７ａ，７ｂに、上カバープレート２と共に、四角形圧縮スプリング１の下辺部５を押し付け、軽く圧縮しながら上カバープレートと下カバープレートを組合せ、図４に示す上、下２枚のカバープレートが一体となったカバープレートとするものである。
【符号の説明】
【００１０】    １          四角形圧縮スプリング
２          上カバープレート
３ａ，３ｂ  上カバープレートの下面の突起部
４ａ，４ｂ  四角形圧縮スプリングの上辺部
５          四角形圧縮スプリングの下辺部
６          下カバープレート
７ａ，７ｂ  下カバープレートの上面の突起部
【図１】
0003210590.tif 000003
【図２】
0003210590.tif 000004
【図３】
0003210590.tif 000005
【図４】
0003210590.tif 000006
【図５】
0003210590.tif 000007
【図６】
0003210590.tif 000008
(57)【要約】      （修正有）【課題】永年使用においても開閉動作における滑りが悪化しない引戸を提供する。【解決手段】下桟と上桟を有する引戸において、引戸の下桟や上桟の側面から下桟の敷居側底面や上桟の鴨居側上面に貫通する複数の滑材充填孔４を設け、滑材充填孔には蝋を充填する。常に滑りのよい引戸が得られる。【選択図】図２
0003210587.tif 000002
【実用新案登録請求の範囲】
【請求項１】
下桟と上桟を有する引戸において、引戸の下桟の側面から下桟の敷居側底面に貫通する複数の滑材充填孔を設け、該滑材充填孔には蝋が充填されていることを特徴とする引戸。
【請求項２】
引戸の上桟の側面から上桟の鴨居側上面に貫通する複数の滑材充填孔を設け、該滑材充填孔には蝋が充填されていることを特徴とする請求項１に記載の引戸。
【考案の詳細な説明】
【技術分野】
【０００１】
本考案は、ふすまや障子等の引戸の構造に関し、特に引戸の上桟及び下桟の部分の構造に関する。
【背景技術】
【０００２】
従来、ふすまや障子等の引戸は永年使用による引戸や建物の歪みのために、敷居や鴨居の上を滑らかに移動させることができなくなることが多かった。
【先行技術文献】
【特許文献】
【０００３】
【特許文献１】実公平７−１４７９
【特許文献２】特開平１１−６２３９６
【考案の概要】
【考案が解決しようとする課題】
【０００４】
上記特許文献１には、潤滑性の良好な固形の材料を充填した薄片を敷居と接する引き戸下面に接着したものが開示されている。また、上記特許文献２には、敷居の上面に形成され、引戸の下端面を案内する敷居溝の底面に滑り部がはめ込まれた構造が開示されている。
【０００５】
しかしながら、上記特許文献１に開示の構造は、潤滑性を有する別部材を後から引戸の下桟に貼付しなければならず、引戸の繰り返し開閉動作により本部材の剥がれが懸念される。また、上記特許文献２に開示の構造は、引戸側ではなく敷居溝の底面に滑材を充填するため、引戸を開けている状態では滑材が露出することになり、汚れにより滑りが悪化することが懸念される。また、敷居を改造しなければならず容易には実現できないものである。
【０００６】
本考案の目的は、引戸の永年使用においても開閉動作における引戸の滑りが悪化しない引戸を提供することである。
【課題を解決するための手段】
【０００７】
本考案は、上記課題を解決するために、引戸の下桟の側面から下桟の敷居側底面に貫通する複数の滑材充填孔を設け、該滑材充填孔には蝋が充填されていることを特徴とする引戸を提供する。
【０００８】
また、引戸の滑りをさらに良くするために、引戸の上桟に対しても下桟と同様に、引戸の上桟の側面から上桟の鴨居側上面に貫通する複数の滑材充填孔を設け、該滑材充填孔には蝋が充填されていることを特徴とする引戸を提供する。
【考案の効果】
【０００９】
本考案の引戸によれば、引戸の上桟または下桟に設けられた滑材充填孔に充填された蝋が、引戸の開閉動作により、下桟と敷居または上桟と鴨居の各接触時の潤滑材となるので、常時滑らかに引戸の開閉を行うことができる。
【図面の簡単な説明】
【００１０】
【図１】本考案の引戸の概略を示す図である。
【図２】本考案の引戸の要部拡大図である。
【考案を実施するための形態】
【００１１】
本考案の引戸について、以下の実施例をもとに説明する。
【実施例】
【００１２】
本考案の引戸の概略を示す図１において、１は引戸であり、その下辺及び上辺が各々下桟２と上桟３となっている。下桟２はその底面で図示せぬ敷居の溝と遊嵌し、上桟３は図示せぬ鴨居の溝と遊嵌して引戸がスライド可能に保持されている。引戸１の下桟２及び上桟３の側面には、直径１ｍｍ程度の複数の滑材充填孔４が設けられており、下桟２側の滑材充填孔４は、引戸１の下桟２の側面から下桟２の敷居側底面に貫通している。上桟３側の滑材充填孔４は、引戸の上桟３の側面から上桟３の鴨居側上面に貫通している。また、滑材充填孔4には潤滑材としての蝋が充填されている。
【００１３】
図２は上記した蝋の充填部分を説明するための要部拡大図である。図２において、下桟２に設けられた滑材充填孔４は両端部が下桟２の側面側端部４ａと底面側端部４ｂに開口しており、内部には蝋が充填されている。蝋の充填は溶かした蝋を注射器等で側面側端部４ａや底面側端部４ｂから滑材充填孔４全体が充填されるように注入する。上桟３の滑材充填孔４への蝋の充填も同様である。
【００１４】
また、引戸の下桟２及び上桟３の滑材充填孔４に蝋を充填する方法として、引戸として組立前の下桟２及び上桟３を溶かした蝋が入った容器内の蝋の中に入れ、その容器内を真空に引くことにより滑材充填孔４に蝋を侵入させるようにしてもよい。この方法によれば、複数本の下桟や上桟に設けられた複数の滑材充填孔に同時に蝋を充填できるので、本考案の引戸を大量に生産する場合に適する。
【００１５】
上記構造の引戸によれば、引戸の開閉動作により、滑材充填孔４に充填された蝋が敷居や鴨居に摺り込まれるため、摩擦が軽減され、長期にわたって引戸の滑りの良い状態を維持できる。
【符号の説明】
【００１６】
１  引戸
２  下桟
３  上桟
４  滑材充填孔
４ａ  側面側端部
４ｂ  底面側端部
【図１】
0003210587.tif 000003
【図２】
0003210587.tif 000004
(57)【要約】      （修正有）【課題】プレイヤーの国籍や文化、識字能力に関わらず、ゲームをすることを可能にするために、ゲーム用駒の持つ役割と進路などのルールを駒上に表した駒を提供する。【解決手段】駒上に前後を識別するための表示部１１を設け、駒が進むことができる方向を示すための凸部１０１を設ける。【選択図】図１
0003210585.tif 000002
【実用新案登録請求の範囲】
【請求項１】
駒上に前後を識別するための表示を設け、駒が進む方向を示す凸状部位を駒の側面方向に設けることを特徴とするゲーム用駒。
【考案の詳細な説明】
【技術分野】
【０００１】  各駒の持つ特有の役割や進路を、そのゲーム用駒の形状で表すことにより、ルールをわかりやすくすることを目的とした駒である。
【背景技術】
【０００２】  将棋など伝統的なゲームにおいて、その駒上に文字や記号で表記又は配置されている（例えば、特許文献１参照）。このような駒の表現では海外の人や若年層など文字を読めない人や各駒の持つ特有のルールを認識していない人はゲームすることができない。
【先行技術文献】
【特許文献】
【０００３】
【特許文献１】特開２００７−２８３０５７号公報
【特許文献２】特開２０００−３２５５２９号公報
【特許文献３】意匠登録１１６１８４５号公報
【非特許文献】
【０００４】
【非特許文献１】将棋、［平成２９年３月１日検索］インターネット＜ＵＲＬ：ｈｔｔｐｓ：／／ｗｗｗ．ｓｈｏｇｉ．ｏｒ．ｊｐ／ｋｎｏｗｌｅｄｇｅ／ａｂｏｕｔ／
【非特許文献２】どうぶつしょうぎ、［平成２９年３月１日検索］インターネット＜ｈｔｔｐ：／／ｗｗｗ．ｇｅｎｔｏｓｈａ−ｅｄｕ．ｃｏ．ｊｐ／ｐｒｏｄｕｃｔｓ／ｐｏｓｔ−３４．ｈｔｍｌ
【考案の概要】
【考案が解決しようとする課題】
【０００５】  プレイヤーの国籍や文化、識字能力に関わらず、ゲームをすることを可能にするために、ゲーム用駒の持つ役割と進路などのルールを駒の形状で表した駒を提供する。
【課題を解決するための手段】
【０００６】  駒上に前後を識別するための表示を設け、駒が進む方向を示す凸状部位を駒の側面方向に設けることを特徴とするゲーム用駒。
【考案の効果】
【０００７】  進路を形状で表すことにより、特定の言語の習得（や慣習）にとらわれず、ゲーム用駒の進路や特性を理解することができる。そのゲームのルールを理解しプレイするために必要な情報を、形状で表すことで、年齢、国籍、識字能力、ゲームの経験値、などに関わらず、そのゲームをプレイすることができる。ゲームのルールを効率よく理解する助けとなり、既存駒使用時に比べて、より多くの人々のコミュニケーションツールとなることが期待できる。
【図面の簡単な説明】
【０００８】
【図１】駒の形状の一例である。
【図２】駒の形状の別の一例である。
【図３】本考案の駒を使用したゲームの写真である。
【考案を実施するための形態】
【０００９】  図１を元に本考案を実施するための形態を以下に説明する。１から８までの８種類の駒である。各駒の前後を識別させるための部位１１を設ける。各駒が進む方向に１０１で表した凸部を設けている。符号１の駒は、進む方向を表す凸部１０１が八方に示されており、符号１の駒が八方に一コマ進めることを表している。符号２の駒は、斜め後ろ二方向を除く六方向に一コマ進めることを示している。符号３の駒は、左右と真後ろを除く五方向に一コマ進めることを示している。符号４の駒は、斜め四方向に進めることを示している。符号５の駒は前後左右に進めることを表している。符号６の駒は、前方向に二コマ、左右どちらか１コマの場所に進めることを示している。符号７の駒は、前方向にのみ進めることを示している。符号８の駒は、前方向に１コマ進めることを示している。
【実施例】
【実施例１】
【００１０】  図１に示す例は、前後を識別させる部位は駒上に矢印を設け、進む方向は丸い凸部を設けている例である。
【実施例２】
【００１１】    図２に示す例は、前後を識別させる部位は三角形の穴を設け、進む方向は丸い凸部を設けている例である。
【産業上の利用可能性】
【００１２】    ゲームの駒に使える。
【符号の説明】
【００１３】    １  駒本体の一種
２  駒本体の一種
３  駒本体の一種
４  駒本体の一種
５  駒本体の一種
６  駒本体の一種
７  駒本体の一種
８  駒本体の一種
１１  前後を示す表示部
１０１  駒の進む方向を表す凸部
【図１】
0003210585.tif 000003
【図２】
0003210585.tif 000004
【図３】
0003210585.tif 000005
(57)【要約】      （修正有）【課題】害虫を遠ざける事で、印刷部周辺での段ボール製品への害虫混入事故を防止する印刷整版キャリアシートを提供する。【解決手段】印刷用の整版フイルムＡに害虫忌避機能を有したシートＦを貼り合わせ、忌避機能を持たせることで、印版の使用時、移動時、保管時に周辺スペースに害虫の侵入や棲み付きを防ぎ、印刷エリアでの害虫混入事故を継続的に防止する。【選択図】図４
0003210558.tif 000002
【実用新案登録請求の範囲】
【請求項１】
印刷用凸版の位置を決め、貼り付けて固定するフイルムシートに、害虫忌避機能を有したシートを貼り合わせ、忌避機能を有する事を特徴とした、印刷整版キャリアシート。
【考案の詳細な説明】
【技術分野】
【０００１】  本考案は、段ボール印刷に使用する印版の整版キャリアシートの害虫忌避機能付加に関するものである。
【背景技術】
【０００２】  段ボールの印刷には、樹脂凸版が多く用いられ一般的にそれらの版はポリプロピレン製のフイルム状シート部に位置決めして両面接着テープで貼り込み整版固定する、この整版キャリアシートの上下両端には硬質樹脂製の止め棒が施され、輪転機の版胴の溝に止め棒をはめ込み固定して印刷する。（図１）
又、印版の保管時には、収納ラックのレールに止め棒を横方向から挿入し、吊るした状態にする。（図２）
これら印版を貼り込んだ整版キャリアシートは、印刷の使用目的のみに製作されている。（図３）
【考案の開示】
【考案が解決しようとする課題】
【０００３】  段ボール印刷工場は、保温や保湿環境も整っており、更に紙や糊の成分を好む害虫にとっては、好環境となるスペースである。
この為、印刷工場では消毒等の駆除対策作業を頻繁に行っているが、虫の侵入や棲み付きは後を絶たない状態である。
某段ボール工場での害虫調査では、約５０種類に及ぶ害虫の存在が確認されており、特に食品や薬剤等の衛生管理が絶対条件の製品梱包に使用する段ボール製造工場に於いては、害虫混入事故が即、取引停止に追い込まれ、工場や会社の死活問題に発展する危険性を孕んでいる。
従って、段ボール製品の製造に関わる部署や資材搬入の全ての関係者に対して、綿密で総合的な防虫対策の重要かつ緊急な課題が存在している。
【課題を解決する為の手段】
【０００４】  この課題の解決を図る為、請求項１の考案は、印刷用の整版キャリアシートのフイルムシート部に忌避機能を有したシートを貼り合わせ、整版キャリアシートに忌避機能を保持させる事にする。
この工夫を加える事により、印版の使用時、移動時、保管時等、その場所周辺を害虫が嫌う環境に変える事が可能となり、害虫の侵入や棲み付きを防ぐ事に繋がる。
害虫を遠ざける事で、印刷部周辺での段ボール製品への害虫混入事故を防止するものである。
【考案の効果】
【０００５】  本考案の忌避機能を有した整版キャリアシートを使用する事により、
１．印刷工場内への害虫侵入が抑制される。
２．印刷製品への害虫混入事故が抑制される。
３．新版の度に忌避機能を有した整版キャリアシートが工場内に搬入される事で、工場内の忌避効果が自動的に継続し、強化される事になる。
４．製品の最終工程に近い印刷エリアに於いての忌避機能効果は、納品直前の危険な状態を緩和できる。
【考案を実施する為の最良の形態】
【０００６】  本考案に係る請求項１は、版厚等印刷作業に支障をきたさない状態で、整版キャリアシートのフイルムシート部に忌避機能を有したシートを、全面的或は部分的に接着剤や接着テープ等で貼り合わせるものである。（図４）
使用する忌避機能シートは、工場の害虫調査に基づき、より効果的な成分を含有した忌避シートを選択するものである。
【図面の簡単な説明】
【０００７】
【図１】整版キャリアシートを印刷に用いる状態の図である。
【図２】整版キャリアシートを収納レールへ保管する状態の図である。
【図３】整版キャリアシートの図である。
【図４】（１）整版キャリアシートに忌避機能シートを全面的に貼り付ける図である。（２）整版キャリアシートに忌避機能シートを部分的に貼り付けた図である。
【符号の説明】
【０００８】Ａ    整版フイルム
Ｂ    止め棒
Ｃ    印版
Ｄ    版胴
Ｅ    印版収納ラック
Ｆ    忌避機能保持シート
【図１】
0003210558.tif 000003
【図２】
0003210558.tif 000004
【図３】
0003210558.tif 000005
【図４】
0003210558.tif 000006
0003210558.tif 000007
【手続補正書】
【提出日】平成29年4月6日(2017.4.6)
【手続補正１】
【補正対象書類名】図面
【補正対象項目名】図４
【補正方法】変更
【補正の内容】
【図４】
0003210558.tif 000008
(57)【要約】      （修正有）【課題】段ボールに、手の力で容易に折り溝をつけることのできる安価な段ボール折り器を提供する。【解決手段】両手で押すのに適した幅を有する直線定規状の基部１と、基部１上に設けられると共に、基部１と同等の長さを有する三角柱状の凸部２で構成する。【選択図】図４
0003210554.tif 000002
【実用新案登録請求の範囲】
【請求項１】
両掌で押すのに適した幅を有する直線定規状の基部と、基部と同等の長さを有する断面鋭角三角形の三角柱状の凸部からなる、段ボール折り器。
【考案の詳細な説明】
【技術分野】
【０００１】
この考案は、段ボールなど、一定の厚みを持つ、折り線をつけにくい素材に、手の力で容易に折り溝をつけることのできる安価な段ボール折り器に関する。
【背景技術】
【０００２】
従来、段ボールなどの折り線をつけにくい素材を折るにあたっては、専門業者が製品を量産する場合には押罫を使用して機械的に折り溝をつけることにより、また、個人や小規模従事者の場合は、定規をあてがいヘラなどで折り溝をつける、カッターなどで浅い切れ目を入れる、裁縫に使用するギザ歯つきのルレットで連続した小穴を開けるといった手を使った方法により、それぞれ折りやすくしたうえで折っていた。
【考案の概要】
【考案が解決しようとする課題】
【０００３】
専門業者が使用する押罫は、大きさや形状、雌型の必要性、価格の面などから、個人や小規模従事者が使用するには困難が伴う。また、定規とヘラで折り溝をつける方法は手間がかかり、切れ目を入れたり小穴を開けたりする方法は折り目の強度が低くなるという欠点があった。
【課題を解決するための手段】
【０００４】
本考案は、上記課題を解決するために、両手で押すのに適した幅を有する直線定規状の基部１と、基部と同等の長さを有する三角柱状の凸部２で構成される。
【考案の効果】
【０００５】
本考案は、上記の課題解決手段にある形状なので、凸部２の稜線を、一定の硬度をもつ台上に置いた段ボールなどの素材３の折り線にあてがい、基部１を両手で押すことにより、容易に折り溝をつけることができる。また、構造が単純なので、安価に提供できる。
【図面の簡単な説明】
【０００６】
【図１】本考案実施例を示す側面図である。
【図２】本考案実施例を示す平面図である。
【図３】本考案実施例を示す斜視図である。
【図４】本考案実施例を使用して段ボールなどに折り溝をつける方法を示す模式図である。
【図５】本考案実施例を示す断面図である。
【考案を実施するための形態】
【０００７】
図１、２、３、４を用いて、本考案実施例の構造を詳述する。
本考案実施例は、課題を解決するための手段の項で述べたように、両手で押すのに適した幅を有する直線定規状の基部１と、基部と同等の長さを有する三角柱状の凸部２で構成される。
図１の側面図、図２の平面図における一点鎖線ａによって示される断面図の図３および図４の斜視図では、基部１と凸部２が接合された別構造となっているが、一体構造でもよい。
また、凸部稜線が折り線に正確にあてがわれているかを目視するために、少なくとも基部、あるいは全体を透明素材で構成することが望ましい。
また、より少ない力で対象の素材に折り溝をつけるために、図３においてｂで示される凸部断面の稜線部分の角度は鋭角とする。
【０００８】
図５を用いて、本考案実施例の使用法を説明する。
一定の硬度を持つ台上に、折り溝をつける対象となる段ボールなどの素材３を置き、本考案実施例を段ボールなどの素材３の折り線にあてがい、主に手を使用して白矢印方向に力を加えることにより段ボールなどの素材３に折り溝をつける。
【符号の説明】
【０００９】
１  基部
２  凸部
３  段ボールなどの素材
【図１】
0003210554.tif 000003
【図２】
0003210554.tif 000004
【図３】
0003210554.tif 000005
【図４】
0003210554.tif 000006
【図５】
0003210554.tif 000007
【手続補正書】
【提出日】平成29年3月21日(2017.3.21)
【手続補正１】
【補正対象書類名】実用新案登録請求の範囲
【補正対象項目名】全文
【補正方法】変更
【補正の内容】
【実用新案登録請求の範囲】
【請求項１】
両掌で押すのに適した幅を有する直線定規状の基部と、基部上に設けられると共に、基部と同等の長さを有する断面鋭角三角形の三角柱状凸部からなる、段ボール折り器。
(57)【要約】      （修正有）【課題】シート状のふたがしわにならず、取り出し口に密着しやすくなるようにし、ウェットティッシュ等の内容物を乾きにくくした袋体を堤供する。【解決手段】袋体１の内容物取り出し口３の周囲に硬質な素材２を接着剤で接合して設ける。【選択図】図１
0003210553.tif 000002
【実用新案登録請求の範囲】
【請求項１】
袋体（１）の取り出し口（３）の表側に硬質な素材（２）を設けたことを特徴とする内容物を乾きにくくするように工夫した袋体。
【請求項２】
袋体（１）の取り出し口（３）の内側に硬質な素材（２）を設けたことを特徴とする内容物を乾きにくくするように工夫した袋体。
【考案の詳細な説明】
【技術分野】
【０００１】  本考案は、しめりけのあるウェットティッシュなど、必要とする枚数を取り出せるようにつくられた袋体において、取り出し口の周囲に硬質な素材を設けた袋体に関するものである。
【背景技術】
【０００２】  従来、ウェットティッシュなどを取り出せる袋体は、シート状のふたを密着する面はやわらかかった。
【考案の概要】
【考案が解決しようとする課題】
【０００３】  これは、次のような欠点があった。
従来、袋体の取り出し口はやわらかく、内容物を取り出して、シート状のふたを閉めたとき、袋体に密着しにくく、しわになることが多かった。その隙間から、しめりけがもれやすく、内容物は乾きやすかった。本考案は以上のような欠点をなくすために、考案されたものである。
【課題を解決するための手段】
【０００４】  袋体（１）の取り出し口（３）の周囲に硬質な素材（２）を設ける（図１参照）。
本考案は以上の構成よりなる内容物を乾きにくくするように工夫した袋体である。
【考案の効果】
【０００５】  袋体の取り出し口が硬いので、取り出し口を、おおうシート状のふたは、袋体に密着しやすい。このため、内容物が乾きにくく、さらに、すばやく、しめることができる。
【考案を実施するための形態】
【０００６】  以下、本考案の実施の形態を説明する。
水分がもれないような素材でつくられた袋体（１）の表側に設けた場合（図１参照）、内容物を取り出す、取り出し口（３）の周囲に硬質な素材（２）を設ける。この硬質な素材（２）は、容易にはがれないように、接着剤などで接合するとよい。
【０００７】  この硬質な素材（２）は、袋体（１）の内側に設けてもよい（図４参照）。
【図面の簡単な説明】
【０００８】
【図１】  袋体の取り出し口の表側に硬質な素材を設けた内容物を乾きにくくするように工夫した袋体の断面図である。
【図２】  内容物を乾きにくくするように工夫した袋体の上面図である。
【図３】  内容物を乾きにくくするように工夫した袋体の取り出し口の周囲に設ける硬質な素材の斜視図である。
【図４】  袋体の取り出し口の内側に硬質な素材を設けた、内容物を乾きにくくするように工夫した袋体の断面図である。
【符号の説明】
【０００９】  １  袋体
２  硬質な素材
３  取り出し口
４  内容物
５  シート状のふた
【図１】
0003210553.tif 000003
【図２】
0003210553.tif 000004
【図３】
0003210553.tif 000005
【図４】
0003210553.tif 000006
(57)【要約】      （修正有）【課題】夜中トイレに行きたくなった時起き上る事なくベット内で横になって排尿出来る尿瓶を提供する。【解決手段】從置き形とし、取手も変えて外観を尿瓶には見えないようにする。また、尿瓶本体の外側はクモリ硝子にして内部の色素が見えない様にして尿瓶口に栓をつけ、かたくしめて臭いをふせぐ。さらに、外側の一部を透明にして目盛をつけて容量がわかる様にし又尿の色によって身体の状態がわかる様にする。【選択図】図４
0003210556.tif 000002
【実用新案登録請求の範囲】
【請求項１】
尿瓶本体の外側はクモリ硝子にして内部の色素が見えない様にして尿瓶口に栓をつけて臭いをふせぎ、外側の一部を透明にして目盛をつけて容量がわかる様にし又尿の色によって身体の状態がわかる様にした尿瓶である。
【考案の詳細な説明】
【考案の概要】
【考案が解決しようとする課題】
【０００１】トイレが１Ｆ及２Ｆにある場合は良いがない場合は１ヶ所増設するには経済的にも大変で夜間寝室からの移動は精神的にも負担でありベット内で処理出来る事によって解決しようとするものである。
【課題を解決するための手段】
【０００２】本考案は夜間の放尿時楽に出来る様一番の特長である取手をからだと水平になる様に工夫し使用後は折りたたみ式にしふとんや毛布等がしっかからない様にして問題を解決している。
【考案の効果】
【０００３】本考案の尿瓶は從来の横置形を從置き形にし尿瓶に見えない形にして外観も取手も変える事によって尿瓶とも思えない所が特長で使用する人も又他人が見ても使いやすさを感じてもらえる様にしてある。
【図面の簡単な説明】
【０００４】
【図１】本考案の真上から見た平面図です
【図２】本尿瓶の取手が特長の立面図です
【図３】図２の切断面図です
【図４】本考案のすべてがわかる斜視図です
【図１】
0003210556.tif 000003
【図２】
0003210556.tif 000004
【図３】
0003210556.tif 000005
【図４】
0003210556.tif 000006
(57)【要約】      （修正有）【課題】収納された商品が使われたり消費された後も、商品の展示物として一体的に活用できる箱体容器を提供する。【解決手段】箱体容器は蓋部を２重構造とし、折り返し部に設けたヒンジ部８と、箱体上縁部に設けたスリット部４とを連結解除自在とする。商品収納時は折りたたまれ通常の蓋として作用するが、商品を取り出し後はこれを展開し適宜折りたたみ形成して商品を再度箱体容器に設置することで一体的にその展示物として作用する。【選択図】図１
0003210577.tif 000002
【実用新案登録請求の範囲】
【請求項１】
玩具、小物雑貨、食品等商品をその内部に収納する段ボール、紙、樹脂等材料で形成される箱体容器の収納部上部の蓋部を折り返し可能な２重の構造とし、該商品を収納時は該蓋部は折りたたまれ一枚の蓋のように作用し、該折り返し部に設けられるヒンジ部等係具突起が該箱体上縁部に設けられるスリット部等同係具突起受け部と連結して該蓋を箱体に固定でき、これ等を解除したときは該蓋部は２重の部分を展開し折り返し部を軸に開放された上蓋の上端部を適宜該箱内側に来るよう、かつその両端部または該上端部の端面部を該箱体の上縁部あるいは底面部と適宜嵌め合わせや添着等により組み合わせて固定できるようにし該商品等を展示可能とする展開可能な箱体容器。
【考案の詳細な説明】
【技術分野】
【０００１】本考案は、玩具、小物雑貨、食品等の収納に用いられる主にダンボール、紙、樹脂等材料で形成される展開可能な構造を有し、収納されたものもしくはその加工されたものを効果的に展示に供することが可能となる箱体容器に関するものである。
【背景技術】
【０００２】従来、箱体容器は内部の商品の収納が目的で商品が使われたり消費されるとその用途が滅失し廃棄されることが多く、該箱体容器が該商品と一体的に活用される例はほとんどなかった。
本考案は商品を取り出した後そのままもしくは加工後、該箱体容器と一体的に展示効果を発揮でき、より商品価値を高められるように展開可能な構造を有する箱体容器を簡易に構成する。
【考案の開示】
【０００３】本考案において箱体容器は蓋部を２重構造とし、商品を収納時は折りたたまれ通常の蓋として作用するが、商品を取り出し後はこれを展開し適宜折りたたみ形成することで該商品を再度箱体容器に設置すると一体的にその展示物として作用する。
【考案が解決しようとする課題】
【０００４】本考案においては箱体容器が商品を収納すると同時に展示用にも用いられ、かつその展示効果が商品の特性を最大限に発揮できるような簡易で実用的な構造を有することが求められる。
【課題を解決するための手段】
【０００５】本考案は箱体形状の容器の蓋部を折りたたみ部で展開可能な２重構造とし、商品収納時は折りたたみ一枚の蓋と同様とし従来の収納用箱体として作用するが、商品取り出し後は該蓋部を展開して適宜折りたたみ、該蓋の当初内側の部分を箱本体側に固定して蓋部全体を立て、あたかも箱本体を舞台とすれば蓋部がその背景のようになる構造を提供する。商品を該箱本体の内部に置き、該蓋に背景として最適な図画や構造体を設ける。
【考案の効果】
【０００６】本考案によれば通常と同じような箱体容器に少し組みかえるだけで、商品が箱体と一体的にその魅力を発揮でき、より商品価値を高めることが簡易に可能となる。換言すれば箱体容器も商品の一部として有効に活用される。該背景は通常、背景用の図画を予め箱本体と同じ面上に同時に印刷できる利点もある。
【実施例】
【０００７】以下、本考案を図１の応用実施例として、折りたたみ式の箱体容器の斜視図で説明する。【０００８】本考案において箱体容器の（１）箱本体は段ボール、紙、あるいは樹脂等を適宜折り曲げ形成され、主に（２）底部、（３）上縁部、（５）上蓋Ａおよび（６）上蓋Ｂより構成される。ここに（５）上蓋Ａおよび（６）上蓋Ｂはほぼその中央に（９）折り返し部を有し、ここを支点（線状）にして（６）上蓋Ｂは（１０）矢印Ａで示すように（１）箱本体側に折り返しでき、（５）上蓋Ａと一体的に２重に重ねあたかも一枚の蓋のように（１１）矢印Ｂで示すごとく（３）上縁部にぴったりと蓋することができる。この際（１）箱本体内部に玩具、小物雑貨、食品等の収納すべき商品（図示せず）を納めれば通常の収納用容器として作用する。蓋の（１）箱本体への固定は必要に応じて、例えば（９）折り返し部中央に（８）ヒンジ部等係具突起を設け（３）上縁部の対応位置に設けられる（４）スリット部等同突起受け部に嵌入、連結すること等でえられ、先述の（１１）矢印が本方式の結合方式を合わせて示す。【０００９】また、（６）上蓋Ｂは（５）上蓋Ａとともに展開して立ち上げ前者の（７）上蓋上端部を（１２）矢印の示す方向に（１３）挿し込み部に嵌入させて固定できるようにされる。この場合（６）上蓋Ｂにあらかじめ適宜背景となる図画等（図１参照）を配設し、収納されていた商品もしくはその加工後の物品を（１）箱本体内部の（２）底面に置くことにより箱全体としてジオラマやパノラマのような展示物を構成できる。（１３）挿し込み部は（１）箱本体の（３）上縁部の蓋部付け根に近い位置に設けられ、（７）上蓋上端部と互いに隙間への挿入摩擦、あるいは予め設けられる切り込み（図示せず）の嵌め合わせもしくは糊料等による添着で（６）上蓋Ｂが最も適切な位置に立つように設けられる。【００１０】本考案における商品の一例としては、フィギュア模型、組み立て式の模型やブロック玩具等があり、これ等は販売時の商品形態としては箱に収納され、顧客が使用時これらをそのまま、あるいは組み立て後この箱を用いて一体的に展示できる。この際（６）上蓋Ｂには図画だけでなくここに切り起こしフック等を設けて商品もしくはその加工品を引っ掛けたり置いたりして立体的に用いることも含まれる。【００１１】本考案例の蓋部は（１）箱本体は図１で示すような上縁部で固定されるが、蓋部を（２）底面まで展伸してここで固定することも可能で、また（３）上縁部はなくてもよい。なお（１）箱本体の形状は必ずしも矩形でなくともよい。
【図面の簡単な説明】
【００１２】
【図１】本考案に関わる応用実施例の斜視図である。
【符号の説明】
【００１３】（１）箱本体    （２）底面    （３）上縁部    （４）スリット部
（５）上蓋Ａ    （６）上蓋Ｂ    （７）上蓋上端部    （８）ヒンジ部
（９）折り返し部  （１０）矢印Ａ  （１１）矢印Ｂ  （１２）矢印Ｃ
（１３）挿し込み部
【図１】
0003210577.tif 000003
(57)【要約】      （修正有）【課題】食品包装袋に、スタンプインキ印字、マジックペン等の印字を行っても、剥げ落ちない、生産者名を食品包装袋に印字することのできる、生産者名付食品包装袋を提供する。【解決手段】合成樹脂性食品包装袋において、第一パネルと第二パネルの両横部と底部を接着１する、パネル表面に、スタンプインキ、マジックペン等の印字が出来る、特殊印刷２を行ってある。特殊印刷２はスタンプインキ、マジックペン等の印字において、剥げ落ちないインクを使用する印刷である。【選択図】図１
0003210579.tif 000002
【実用新案登録請求の範囲】
【請求項１】
合成樹脂性食品包装袋において、第一パネルと第二パネルの両横部と底部を接着する、パネル表面に、スタンプインキ、マジックペン等の印字が出来る、特殊印刷を行つてある、生産者名付き食品包装袋。
【請求項２】
特殊印刷はスタンプインキ、マジックペン等の印字において、剥げ落ちないインクを使用する印刷である、請求項１の生産者名付食品包装袋。
【考案の詳細な説明】
【技術分野】
【０００１】  生産者名付食品包装袋に関する。
【背景技術】
【０００２】  生産者名を食品包装袋に印字することのできる、生産者名付食品包装袋【０００３】
【考案の概要】
【背景技術】
【０００４】  従来の、食品包装袋には、生産者の名称を印字することが出来ない。【０００５】  食品包装袋には、生産者の名称を印字する適当な場所が無い。【０００６】  食品包装袋に、スタンプインキ印字、マジックペン等の印字を行っても、すぐに剥げ落ちる。
【考案が解決しようとする課題】
【０００７】  食品包装袋に、スタンプインキ印字、マジックペン等の印字を行っても、剥げ落ちない、ことを課題とする。
【考案が解決するための手段】
【０００８】  食品包装袋に、スタンプインキ印字、マジックペン等の印字を行う場所に特殊印刷を行うことを手段とする。
【０００９】  食品包装袋に、生産日、生産地、生産者等をスタンプインキ印字、マジックペン等の印字を行う場所に特殊印刷を行う手段とする。
【００１０】
【考案の効果】
【００１１】  食品包装袋の、スタンプ印字、マジック等の明記を行う場所に特殊印刷２を行うことによって、食品の生産地、生産者等を印字することができる。
【００１２】  食品包装袋に、生産日、生産地、生産者等３を印字することによって、食品の価値感があがる。
【考案の実施するための形態】
【００１３】  本発明の実施の形態を図面を参照しながら詳細に説明する。なお、以下の説明にあたって、同一構成要件については、同一符号を付けて、重複した説明を省略する。
【００１４】  合成樹脂性食品包装袋において、第一パネルと第二パネルの両横部と底部を接着１する、パネル表面に、スタンプインキ印字、マジックペン等の印字が出来る、特殊印刷２を行つてある。
【００１５】  特殊印刷はスタンプインキ印字、マジックペン等の印字において、剥げ落ちないインクを使用する印刷である。
【００１６】  特殊印刷は、印刷の位置、大きさは、自由である。
【図面の簡単な説明】
【００１７】
【図１】  第一パネルと第二パネルのパネル表面に、印字が出来る、特殊印刷部の説明図。
【図２】  生産者名の印字説明図。
【符号の説明】
【００１８】１  第一パネルと第二パネルの接着部
２  特殊印刷部
３  生産者名印字部
【図１】
0003210579.tif 000003
【図２】
0003210579.tif 000004
(57)【要約】      （修正有）【課題】スマートフォンの片手保持による操作をしても、手元の狂いからの落下を防止するスマートフォンの落下防止装置を提供する。【解決手段】両面テープ３を両端に装備したバンド２であって、いずれも、シリコンゴムを材質とするものであって、また、これらのバンド２をスマートフォンの裏面に接着し、これらの隙間に複数の指を刺し込んで片手保持して操作し、更に、これらのバンド２の表面中央部に文字・写真等の資料からなる広告欄４を設置し、宣伝広告の効果を果たす。【選択図】図１
0003210580.tif 000002
【実用新案登録請求の範囲】
【請求項１】
シリコンゴムの材質からなりかつ両面テープを両端に装備したバンドであって、このバンドをスマートフォンの裏面に接着し、また、この隙間に複数の指を刺し込んで片手保持による操作をするための、スマートフォンの落下防止装置。
【請求項２】
シリコンゴムの材質から成りかつ両面テープを半円部に装備した円形バンドを特徴とする請求項１のスマートフォンの落下防止装置。
【請求項３】
バンドあるいは円形バンドの表面中央部に装備された文字や写真等の資料からなる広告欄を特徴とする請求項１のスマートフォンの落下防止装置。
【考案の詳細な説明】
【技術分野】
【０００１】  本考案は、スマートフォンを片手保持で操作しても、手元からの落下を防止するための指掛けバンドに関する。
【背景技術】
【０００２】  スマートフォン（以下、スマホとする）を片手で保持して操作すれば不安定となるので、手元の狂いによる落下の危険性がある。そこで、スマホを片手保持して操作をしても、手元からの落下を防止するために、いろいろな装置の工夫がなされて来た。
【考案の開示】
【考案が解決しようとする課題】
【０００３】  本考案の解決しようとする問題点は、片手保持による操作から起こる落下を防止する装置に関する二点である。
この装置を装着する個所は、スマホそれ自体か、あるいは、スマホに被せるケースか。また、この装置の構造は、バンドに指を掛けるものか、あるいは、リングに指を通すものか、という課題である。
スマホに被せるケースに接着する装置は、スマホの全機種に対応できないという難点を有する。そこで、スマホの裏面に直接に接着する装置が一般的であり、指嵌め型のリングと指掛け型のバンドがある。
指嵌めリングを装着すれば、指一本を通すだけなので、不安定となり、かつ、指に負担を与えるという難点がある。指掛けバンドを装着すれば、スマホを持ち歩いている間にその裏面からバンドが外れやすいという難点が残る。
そこで、いろいろな機種に対応するために、スマホの裏面に直接に接着し、かつ、指で安定して保持して、片手操作できる装置が必要となる。
【課題を解決するための手段】
【０００４】  本考案の解決する手段は、次の通りである。
先ず、シリコンゴムを材質としかつ両面テープ（３）を両端に装備したバンド（２）であって、このバンド（２）をスマホ（１）の裏面に接着し、また、バンド（２）の隙間に複数の指を刺し込み片手保持による操作をするための、スマホ（１）の落下防止装置である。
次に、シリコンゴムを材質としかつ両面テープ（３）を半円部に装備した円形のバンド（２）であって、このバンド（２）をスマホ（１）の裏面に接着し、また、円形のバンド（２）の隙間に複数の指を刺し込み片手保持による操作をするための、スマホ（１）の落下防止装置である。
最後に、バンド（２）あるいは円形バンド（２）の表面中央部に装備された文字・写真等の資料からなる広告欄（４）であり、このバンド（２）をスマホ（１）の裏面に接着し、また、この隙間に複数の指を刺し込み片手保持による操作をするための、スマホ（１）の落下防止装置である。
【考案の効果】
【０００５】  本考案の効果は、次の通りである。
先ず、本考案は、スマホ（１）の裏面に直接に接着するバンド（２）であるから、いろいろなスマホ（１）の機種に対応することができるし、また、スマホ（１）とバンドの隙間に複数の指を刺込みしっかりと保持するので、片手操作により手元が狂って落下する危険性を解消できる。円形のバンド（２）にすると、スマホの裏面に接着する面積が広くなるので、その分剥がれ難くなる。
次に、スマホ（１）の使用の頻度に伴って、スマホバンド（２）の表面中央部に装備された広告欄（４）の文字・写真等の資料を見る機会が増えるので、宣伝広告の効果があがる。
【図面の簡単な説明】
【０００６】
【図１】  本考案に係るスマホバンドの斜視図面である。
【図２】  本考案に係るスマホバンドの使用図面である。
【符号の説明】
【０００７】  １  スマホ
２  バンド
３  両面テープ
４  広告欄
【考案を実施するための形態】
【０００８】  本考案の実施の形態である。
【０００９】  先ず、本考案に係るスマホバンド（２）の構成である。
一つは、両端に両面テープ（３）を装備したバンド（２）である。バンド（２）の材質はシリコンゴムであり、市販された長尺物を適度の長さに切断する。また、両面テープ（３）は、市販された強力な接着剤を塗布したものであり、一面を貼り付け、他面をカバーしたままの状態とする。
もう一つは、円形のバンド（２）、いわゆるリストバンドの半円部分に両面テープ（３）を装備したものである。バンド（２）の材質はシリコンゴムであり、また、両面テープ（３）の一面を貼り付け、他面をカバ−したままの状態とする。いずれのバンド（２）の表面中央部にも文字・写真等の資料からなる広告欄（４）を設置する。この欄は、ビニール等の汚れ難い材質の物を用いる。これによって、広告宣伝の機能を果たすことができる。
次に、本考案に係るスマホバンド（２）の使用である。
バンド（２）の両端の両面テープ（３）のカバーを剥がし、スマホ（１）の裏面に張り付ける。または、円形のバンド（１）の半円部分の両面テープのカバーを剥がし、スマホ（１）の裏面に張り付ける。このバンド（２）の隙間に複数の指を横に刺し込み片手で保持して操作する。これによって、安定的に操作できるし、また、このバンドの表面中央部の資料からなる広告欄（４）をしばしば見るので広告的な効果があがる。
【図１】
0003210580.tif 000003
【図２】
0003210580.tif 000004
(57)【要約】      （修正有）【課題】配管の破裂や砂、泥による排水の影響を小さくして、融雪可能範囲の維持と稼働時間の増加防止をする屋根融雪用排水弁付きエルボを提供する。【解決手段】地下水を引き上げるポンプや水道水の蛇口から設置された配管と軒下にあるノズル付きの配管に接続する建物の壁に垂直に設置した配管に取り付ける排水弁付きエルボであって、エルボの両端にあるねじ込み部分５の間に、ゴム製の弁６と排水管９がつながる弁座７を設ける。【選択図】図１
0003210573.tif 000002
【実用新案登録請求の範囲】
【請求項１】
地下水や水道水で直接噴射するタイプの屋根用融雪装置の部品であり、軒下に水を噴射するノズルを付けたパイプに向けて壁に垂直方向に固定された配管の下部と地下もしくは地上に設置されたパイプの間に接続する、エルボの両端にねじ込み部分の間に流入側にネジ等で固定して、もう片方の端を管中心側に曲がりをつけ、曲がりをつけた場所から少し流入側の位置の下に弁座の長さより大きい突起物を付けたゴム製の弁と排水管と接続する弁座でポンプ稼働時や水道の蛇口が開いてある場合は、曲がり部分に水圧がかかり弁と弁座で排水管に水を流さないようにし、ポンプ停止時や水道の蛇口を閉めると、壁に固定されてある配管は重力によりで配管内の水位が下がることでゴム製の弁を押し上げ弁座から排水管を通り排水することで凍結によるパイプの破裂を防ぐ屋根融雪用排水機能付きエルボ。
【考案の詳細な説明】
【技術分野】
【０００１】  本部品は、地下水や水道など水を用いた屋根融雪装置の部品である。
【背景技術】
【０００２】  従来の屋根融雪の排水方法はバネ式であり、ポンプ停止後の配管内の水の圧力でバネを押し上げることで、配管内の水を外に排出し配管の破裂を防いでいる。
【考案の概要】
【考案が解決しようとする課題】
【０００３】  屋根融雪は地下水をポンプで吸い上げた水を、地中に設置してある配管、壁に垂直に設置された配管、軒下にノズルを付けた配管へと流し、ノズルから水が出て軒下の雪をとかすのだが、地中の配管は地温で、ノズルを付けた配管は配管内の水はノズルから出るため凍結による破裂は防ぐことができるが、壁に対して垂直に設置してある配管は水が残り破裂を起こすことがある。【０００４】  壁に垂直に設置してある配管の凍結防止方法にバネの力で余った水を外に排出するバネ式があるが、バネ式はバネの間に砂や泥、ゴミなどが挟まることで、ポンプ稼働時に少量ずつではあるが排水されることで散水型の屋根融雪のノズルからの水量が下がり融雪範囲が狭まると同時にポンプ稼働時間が増える。
【課題を解決するための手段】
【０００５】  エルボ両端のねじ込み部分の間に弁座を設け、その穴を塞ぐようにゴム製で、途中に弁座の高さより少し大きい突起物があり、かつゴム製の弁の片方の端を曲がりをつけることでポンプ稼働時は弁座を塞ぎ、ポンプの稼働が終わると配管内の水が落差でゴム製の弁の下を押し上げて、弁座から配管内の水を排出して、配管の破裂を抑える。
【考案の効果】
【０００６】  ゴム製で排水穴を塞ぐ弁はエルボとの間に弁座よりも少し大きい突起部分を付けることで隙間を作り、ポンプを停止して水が落差で水位が下がる際にゴム製の弁を押し上げ排水やすくする。【０００７】  弁座は砂や泥より大きいので目詰まりしにくいのと、壁に対して垂直に設置してある配管内の水の重力による水圧で弁座内の掃除もすることで弁座もきれいになり、建物の壁に対して垂直に設置してある配管の破裂や水圧降下による融雪面積の低下やポンプ稼働時間の縮小による電気代節約にもなる。
【図面の簡単な説明】
【０００８】
【図１】ポンプ稼働時の融雪用排水弁付きエルボの断面図
【図２】ポンプ停止時の融雪用排水弁付きエルボの断面図
【図３】排水弁をポンプ側に近づけた融雪用排水弁付きエルボの断面図
【図４】簡単な施工図
【考案を実施するための形態】
【０００９】  ポンプや水道の蛇口から配置された地中や地面の上を設置した配管１と軒下部分を融雪するためにノズルを付けた配管２に接続するために建物の壁に対して垂直に設置した配管３のあいだに融雪用排水弁付きエルボ４を用いて接続する。
【００１０】  ポンプ稼働時や水道水の蛇口を開いた場合は、融雪用排水弁付きエルボ４の両端にあるねじ込み部分５の間に設置したゴム製の弁６を水圧で排水用の弁座７の先を抑えて排水側に水を逃がさないようにし、建物の壁に対して垂直に設置した配管３へ水が通過し、軒下部分を融雪するためにノズルを付けた配管２内を水が流れる。
【００１１】  ゴム製の弁６は、融雪用排水弁付きエルボ４の流入側にゴム製の弁６を水圧で流されないようにネジ８等で固定し、もう一方の先端が水圧を受けやすくするために管中央側に向けて曲げることで水圧によりゴム製の弁６を抑えて、排水用の弁座７から排水管９に流れないようにようにする。
【００１２】  ポンプを止めたり蛇口を閉めたりして水の流れが止めると、建物の壁に対して垂直に設置した配管３内にある水が重力により落下することで、融雪用排水弁付きエルボ４のゴム製の弁６の下を持ち上げ弁座７から余計な水を外に排出し、水が凍っても配管内に空間があることで配管が破裂しない。
【００１３】  排水用の弁座７は砂や泥の粒径より大きく、また建物の壁に対して垂直に設置した配管の水位が重力により落下し排水用の弁座７をきれいにすることで、配管の破裂予防や水圧降下による融雪面積の低下やポンプ稼働時間の縮小することができる。
【符号の説明】
【００１４】  １  地中や地面の上を設置した配管
２  ノズルを付けた配管
３  建物の壁に対して垂直に設置した配管
４  屋根融雪用排水弁付きエルボ弁座
５  ねじ込み部分
６  ゴム製の弁
７  弁座
８  ネジ
９  排水管
１０  ポンプ稼働時の水の流れ
１１  ポンプ停止時の水の流れ
【図１】
0003210573.tif 000003
【図２】
0003210573.tif 000004
【図３】
0003210573.tif 000005
【図４】
0003210573.tif 000006